(57)【要約】【課題】表示素子の構成を変更することなく、解像度を向上させ、画像表示の高精細化を図ることができるディスプレイ装置および画像表示方法を提供する。【解決手段】  ディスプレイ装置１００は、振動モータ３０と、液晶パネル４０と、画像信号処理手段５０と、信号供給手段としての画像信号出力回路６０と、制御回路７０とを備え、画像を表示する際に、液晶パネル４０を回転半径ｒ＝Ｐ√２／４で円振動させると同時に、液晶パネル４０が初始位置にあるとき、第１の画像信号を供給する。また、液晶パネル４０が初始位置から９０度の角度を移動し、初始位置と同じ水平位置にあるとき、第２の画像信号を供給する。また、液晶パネル４０が１８０度の角度を移動し、初始位置の対向位置にあるとき、第３の画像信号を供給する。液晶パネル４０が２７０度の角度を移動し、初始位置と同じ垂直位置にあるとき、第４の画像信号を供給するようになされる。【選択図】      図１
2008268677.tif 000002
【特許請求の範囲】
【請求項１】
多数の画素がマトリクス状に配列された表示手段を有し、供給される画像信号に応じた画像を表示するディスプレイ装置において、
前記表示手段を該表示手段の画像表示平面上に所定範囲で振動させる振動駆動手段と、
前記表示手段に画像信号を供給する信号供給手段と、
前記表示手段の振動位置に応じて所定の画像信号を供給する表示制御手段とを備えることを特徴とするディスプレイ装置。
【請求項２】
前記振動駆動手段は、前記表示手段をドットピッチの√２／４の半径で円運動させ、
前記表示制御手段は、前記表示手段の中心が前記半径の円に沿って移動する際に、前記表示手段が初始位置にあるとき、第１の画像信号を供給し、前記表示手段が初始位置から９０度の角度を移動し、初始位置と同じ水平位置にあるとき、第２の画像信号を供給し、前記表示手段が１８０度の角度を移動し、初始位置の対向位置にあるとき、第３の画像信号を供給し、前記表示手段が２７０度の角度を移動した位置にあるとき、第４の画像信号を供給することを特徴とする請求項１記載のディスプレイ装置。
【請求項３】
前記第１の画像信号は、１フレーム中の画像信号の偶数列・偶数行を省いた画像信号であり、前記第２の画像信号は、奇数列・偶数行を省いた画像信号であり、前記第３の画像信号は、奇数列・奇数行を省いた画像信号であり、前記第４の画像信号は、偶数列・奇数行を省いた画像信号であることを特徴とする請求項２記載のディスプレイ装置。
【請求項４】
前記振動駆動手段は、振動モータまたは電磁アクチュエータからなることを特徴とする請求項１ないし３記載のディスプレイ装置。
【請求項５】
多数の画素がマトリクス状に配列された表示手段と、前記表示手段を該表示手段の画像表示平面上に所定範囲で振動させる振動駆動手段と、前記表示手段に画像信号を供給する信号供給手段と、前記表示手段の振動位置に応じて所定の画像信号を供給する表示制御手段とを備えるディスプレイ装置を用いた画像表示方法において、
前記振動駆動手段により表示手段をドットピッチの√２／４の半径で円運動させ、前記表示制御手段により、表示手段の中心が前記半径の円に沿って移動する際に、前記表示手段が初始位置にあるとき、第１の画像信号を供給し、前記表示手段が初始位置から９０度の角度を移動し、初始位置と同じ水平位置にあるとき、第２の画像信号を供給し、前記表示手段が１８０度の角度を移動し、初始位置の対向位置にあるとき、第３の画像信号を供給し、前記表示手段が２７０度の角度を移動した位置にあるとき、第４の画像信号を供給することを特徴とする画像表示方法。
【請求項６】
前記第１の画像信号は、１フレーム中の画像信号の偶数列・偶数行を省いた画像信号であり、前記第２の画像信号は、奇数列・偶数行を省いた画像信号であり、前記第３の画像信号は、奇数列・奇数行を省いた画像信号であり、前記第４の画像信号は、偶数列・奇数行を省いた画像信号であることを特徴とする請求項５記載の画像表示方法。
【発明の詳細な説明】
【技術分野】
【０００１】
本発明は、プラズマディスプレイ（ＰＤＰ）、液晶ディスプレイ（ＬＣＤ）、ＬＥＤパネルなどディスプレイ装置において、表示素子の構成を変更することなく、解像度を向上させ、画像表示の高精細化を図るディスプレイ装置および画像表示方法に関するものである。
【背景技術】
【０００２】
近年、ディスプレイ装置の高解像度化が進んでいる。一般的に、ディスプレイ装置において、表示する情報を増やすためには、次のような方法が用いられている。１、ディスプレイの台数を増やす。２、ディスプレイの画素数を増やして解像度を高くする。３、画面の情報を縮小表示して擬似的に解像度を上げる。
【０００３】
例えば、液晶表示素子の基板上の配線密度が増大することで画素数等の増加させる液晶表示装置が提案されている（特許文献１参照）。
【０００４】
この場合、液晶表示素子上に液晶駆動用ＬＳＩチップ等の電子部品を搭載したことによって、液晶表示素子の薄型化が可能となる。また接続箇所が従来と比較して減少するため、接続抵抗の減少、接続の信頼性の向上、コストの低減等が図れる。さらにファインピッチ化にも対応が可能となる。
【０００５】
【特許文献１】特開平８−２７１８９７号公報
【発明の開示】
【発明が解決しようとする課題】
【０００６】
しかしながら、上記ディスプレイの台数を増やす方法は、表示する情報量が増えたが、表示密度が変わらない、かつコストがかかるという欠点がある。また、ディスプレイの画素数を増やして解像度を高くする方法は、解像度が高くなるほどピクセルの数が増加することでデータライン、及びスキャンラインの数が増加する必要となり、製造プロセスが困難のため、製造コストが高くなるという欠点がある。また、画面の情報を縮小表示して擬似的に解像度を上げる方法はコストがかからないが、表示画像の細部が不鮮明になり、文字などの１ドット単位でデザインされた画像は判読不可能になるという欠点があった。
【０００７】
また、上述の特許文献１の場合も、解像度を得るために、画素の１つ１つを小さくする必要がある。しかし、ＴＦＴ面積及び配線領域は、ある一定値以上に小さくすることは困難である。また、画素を小さくするために、光の透過する画素面積の総計を減少させなければならず、表示画像が暗くなってしまうという問題点がある。
【０００８】
そこで、本発明は、このような問題点を考慮してなされたもので、表示素子の構成を変更することなく、解像度を向上させ、画像表示の高精細化を図ることができるディスプレイ装置および画像表示方法を提供することを目的とする。
【課題を解決するための手段】
【０００９】
上記課題を解決するため、本発明に係るディスプレイ装置は、多数の画素がマトリクス状に配列された表示手段を有し、供給される画像信号に応じた画像を表示するディスプレイ装置において、前記表示手段を該表示手段の画像表示平面上に所定範囲で振動させる振動駆動手段と、前記表示手段に画像信号を供給する信号供給手段と、前記表示手段の振動位置に応じて所定の画像信号を供給する表示制御手段とを備えることを特徴とする。
【００１０】
例えば、前記振動駆動手段は、前記表示手段をドットピッチの√２／４の半径で円運動させ、前記表示制御手段は、前記表示手段の中心が前記半径の円に沿って移動する際に、前記表示手段が初始位置にあるとき、第１の画像信号を供給し、前記表示手段が初始位置から９０度の角度を移動し、初始位置と同じ水平位置にあるとき、第２の画像信号を供給し、前記表示手段が１８０度の角度を移動し、初始位置の対向位置にあるとき、第３の画像信号を供給し、前記表示手段が２７０度の角度を移動した位置にあるとき、第４の画像信号を供給するようになされる。
【００１１】
また、前記第１の画像信号は、１フレーム中の画像信号の偶数列・偶数行を省いた画像信号であり、前記第２の画像信号は、奇数列・偶数行を省いた画像信号であり、前記第３の画像信号は、奇数列・奇数行を省いた画像信号であり、前記第４の画像信号は、偶数列・奇数行を省いた画像信号である。また、前記振動駆動手段は、振動モータまたは電磁アクチュエータからなる。
【００１２】
上記課題を解決するため、本発明に係る画像表示方法は、多数の画素がマトリクス状に配列された表示手段と、前記表示手段を該表示手段の画像表示平面上に所定範囲で振動させる振動駆動手段と、前記表示手段に画像信号を供給する信号供給手段と、前記表示手段の振動位置に応じて所定の画像信号を供給する表示制御手段とを備えるディスプレイ装置を用いた画像表示方法において、前記振動駆動手段により表示手段をドットピッチの√２／４の半径で円運動させ、前記表示制御手段により、表示手段の中心が前記半径の円に沿って移動する際に、前記表示手段が初始位置にあるとき、第１の画像信号を供給し、前記表示手段が初始位置から９０度の角度を移動し、初始位置と同じ水平位置にあるとき、第２の画像信号を供給し、前記表示手段が１８０度の角度を移動し、初始位置の対向位置にあるとき、第３の画像信号を供給し、前記表示手段が２７０度の角度を移動した位置にあるとき、第４の画像信号を供給することを特徴とする。  
【００１３】
例えば、前記画像表示方法において、第１の画像信号は、１フレーム中の画像信号の偶数列・偶数行を省いた画像信号であり、第２の画像信号は、奇数列・偶数行を省いた画像信号であり、第３の画像信号は、奇数列・奇数行を省いた画像信号であり、第４の画像信号は、偶数列・奇数行を省いた画像信号である。
【発明の効果】
【００１４】
本発明に係るディスプレイ装置によれば、表示手段を画像表示平面上に所定範囲で振動させる振動駆動手段と、前記表示手段に画像信号を供給する信号供給手段と、前記表示手段の振動位置に応じて所定の画像信号を供給する表示制御手段とを備えることで、表示素子の構成を変更することなく、低コストで解像度を向上させ、画像表示の高精細化を図ることができる。
【００１５】
また、振動駆動手段は、前記表示手段をドットピッチの√２／４の半径で円運動させ、かつ前記表示制御手段は、前記表示手段の中心が前記半径の円に沿って移動する際に、前記表示手段が初始位置にあるとき、第１の画像信号を供給し、前記表示手段が初始位置から９０度の角度を移動し、初始位置と同じ水平位置にあるとき、第２の画像信号を供給し、前記表示手段が１８０度の角度を移動し、初始位置の対向位置にあるとき、第３の画像信号を供給し、前記表示手段が２７０度の角度を移動した位置にあるとき、第４の画像信号を供給することにより、画素と画素の隙間を利用して４倍の密度で表示することができると共に、振動駆動手段にかかるエネルギーが少なく、効率的に振動することができ、また、表示手段に不要な振動を与えず、安定した画像を表示することができる。
【００１６】
また、振動モータまたは電磁アクチュエータを振動駆動手段として用いられることで、既成のディスプレイ装置に簡単に取り付けることができる。
【００１７】
本発明に係る画像表示方法によれば、画素と画素の隙間を利用して４倍の密度で表示することができる。そのため、表示素子の構成を変更することなく、解像度を向上させ、画像表示の高精細化を図ることができる。
【発明を実施するための最良の形態】
【００１８】
本発明に係るディスプレイ装置および画像表示方法を実施するための最良の形態を、図を参照して説明する。
【００１９】
図１は、第１の実施の形態のディスプレイ装置１００の構成を示す概略図である。図２は、ディスプレイ装置１００の正面を示す図である。図２中の矢印Ｙおよび２点破線は、液晶パネル４０の円振動を示すものである。図３は、Ａ部の拡大図および円振動半径を示す図である。
【００２０】
図１に示すように、ディスプレイ装置１００は、設置台１０と、支持部２０と、振動駆動手段としての振動モータ３０と、表示手段としての液晶パネル４０と、画像信号処理部５０と、信号供給手段としての画像信号出力部６０と、表示制御手段としての制御部７０とを備える。また、上記以外には画像入力回路等を有する。
【００２１】
図１に示すように、設置台１０には、支持部２０が設けられている。支持部２０の端部に振動モータ３０が装着されている。
【００２２】
振動モータ３０は、所定量偏心した偏心軸３１を有し、該偏心軸の先端に液晶パネル４０が取り付けている。振動モータ３０が所定の回転速度で回転する際に、液晶パネル４０が同一平面（画像表示平面）内に円振動となる。また、振動モータ３０の回転速度は高いほど表示画像が安定した画像に見える。一般的に、表示画像によって振動モータ３０の回転速度が２〜２０回転／秒とする場合は、画像表示の高精細化を図ることができる。なお、回転速度は表示装置の反応速度や信号処理コンピュータの処理能力が許す限り速い方が良い。
【００２３】
図３に画面の振動の方法を示す。このように画面を画素が右、右下、下に半ピッチずれるように回転させる。画像間のドットピッチをＰとすると、回転半径ｒは、
ｒ＝Ｐ×√２／４
で求められる。
【００２４】
また、図３に示すように、各画素Ｇ（Ｇ１、Ｇ２、Ｇ３、Ｇ４）間のドットピッチはＰであり、その中間位置はＰ／２である。また、液晶パネル４０が円振動の場合、画素Ｇ１の中心Ｃが半径ｒで円振動する。この場合、画素Ｇ１に対して、元の位置（初始位置）を第１位置とする。また、画素Ｇ１の中心Ｃが半径ｒで円振動し、初始位置から９０度の角度を移動した位置を第２位置とし、１８０度の角度を移動した位置を第３位置とし、２７０度の角度を移動した位置を第４位置とする。なお、他の画素Ｇ２、Ｇ３、Ｇ４、・・・の中心Ｃも同様である。
【００２５】
液晶パネル４０は、市販の液晶パネルで、背面には振動モータ３０の偏心軸３１を取り付けるための取付部４１が設けられている。
【００２６】
取付部４１は、振動モータ３０の偏心軸３１を挿入する穴が設けられ、側面に偏心軸３１を固定する止めネジを有する。
【００２７】
画像信号処理部５０は、元画像を、所定数の画像に分解して画像信号出力部６０に供給するものである。画像信号処理部５０では、液晶パネル４０の振動方式等によって元画像を所定方法で分解する。この例では、液晶パネル４０が円振動のため、元画像を４つの振動位置で表示する４つ画像信号に分解する。
【００２８】
図４は、画像処理方法を説明する図である。図５は、画像の分解方法を説明する図である。図４、５に示すように、画像信号処理部５０は、元画像を、画像１、画像２、画像３、画像４に分解して画像信号出力部６０に供給する。
【００２９】
画像１（第１の画像信号）は、元画像（１フレーム中の画像信号）の偶数列・偶数行を省いた画像信号であり、画像２（第２の画像信号）は、奇数列・偶数行を省いた画像信号であり、画像３（第３の画像信号）は、奇数列・奇数行を省いた画像信号であり、画像４（第４の画像信号）は、偶数列・奇数行を省いた画像信号である。
【００３０】
画像信号出力部６０は、液晶パネル４０内に設けられた信号線に毎に電圧を印加するように、画像データとアドレスを出力するものである。この画像信号出力部６０は、制御回路７０の制御信号に基づいて、画像信号処理部５０からの所定の画像データ、例えば、画像１、画像２、画像３、画像４を所定のタイミングで出力する。これにより、高密度画像が合成される。
【００３１】
制御部７０は、液晶パネル４０の振動位置に応じて所定の画像信号を供給するように画像信号出力部６０を制御するものである。また、制御部７０は、振動モータ３０の回転、例えば回転の開始、停止、および回転速度等も制御でき、かつ回転データを取得し、これらに基づいて液晶パネル４０の振動位置に応じて所定の画像信号を供給するように画像信号出力部６０を制御する。
【００３２】
図６は、振動位置に応じて所定の画像信号を供給する例を示す図である。図６に示すように、液晶パネル４０の表示画素が初始位置（第１位置）にあるとき、画像１（第１の画像信号）を供給する。また、液晶パネル４０が初始位置から９０度の角度を移動し、初始位置と同じ水平位置（即ち、第２位置）にあるとき、画像２（第２の画像信号）を供給する。また、液晶パネル４０が１８０度の角度を移動し、初始位置の対向位置（即ち、第３位置）にあるとき、画像３（第３の画像信号）を供給する。液晶パネル４０が２７０度の角度を移動し、初始位置と同じ垂直位置（即ち、第４位置）にあるとき、画像４（第４の画像信号）を供給する。これにより、１／４の表示面積に元画像と同じ画素数を表示できる。
【００３３】
なお、映像信号の垂直走査線数が液晶パネルの垂直方向の画素数より少ない場合においても画像が正常に表示できるように、制御部７０で映像信号の非映像信号期間を検出し、画像信号出力部６０に制御信号を送る。画像信号出力部６０はこの制御信号によって、垂直走査クロック信号と水平走査クロック信号の走査周波数を通常の映像信号期間における走査周波数に対して高くして液晶パネル４０の駆動を行うことが可能である。
【００３４】
続いて、ディスプレイ装置１００を用いて画像を表示する方法について説明する。
【００３５】
ディスプレイ装置１００を用いて画像を表示する際に、まず、図５に示すように、画像信号処理部５０で、元画像を、画像１、画像２、画像３、画像４に分解処理する。次に、振動モータ３０により液晶パネル４０を回転半径ｒ＝Ｐ√２／４で円振動させる（図３参照）。
【００３６】
次に、制御部７０により、液晶パネル４０の振動位置に応じて所定の画像信号を供給する。例えば、図４に示すように、液晶パネル４０の表示画素が第１位置にあるとき、画像１（第１の画像信号）を供給する。また、液晶パネル４０が初始位置から９０度の角度を移動し、第２位置にあるとき、画像２（第２の画像信号）を供給する。また、液晶パネル４０が１８０度の角度を移動し、第３位置にあるとき、画像３（第３の画像信号）を供給する。液晶パネル４０が２７０度の角度を移動し、第４位置にあるとき、画像４（第４の画像信号）を供給する（図６参照）。
【００３７】
このように本実施の形態において、ディスプレイ装置１００は、設置台１０と、支持部２０と、振動駆動手段としての振動モータ３０と、表示手段としての液晶パネル４０と、画像信号処理部５０と、信号供給手段としての画像信号出力部６０と、表示制御手段としての制御部７０とから構成され、画像を表示する際に、液晶パネル４０を回転半径ｒ＝Ｐ√２／４で円振動させると同時に、液晶パネル４０の表示画素が初始位置にあるとき、第１の画像信号を供給する。また、液晶パネル４０が初始位置から９０度の角度を移動し、表示画素が初始位置と同じ水平位置にあるとき、第２の画像信号を供給する。また、液晶パネル４０が１８０度の角度を移動し、初始位置の対向位置にあるとき、第３の画像信号を供給する。液晶パネル４０が２７０度の角度を移動し、初始位置と同じ垂直位置にあるとき、第４の画像信号を供給するようになされる。
【００３８】
これにより、表示素子の構成を変更することなく、低コストで解像度を向上させ、画像表示の高精細化を図ることができる。
【００３９】
また、液晶パネル４０が回転半径ｒ＝Ｐ√２／４で円振動するため、画素と画素の隙間を利用して４倍の密度で表示することができると共に、振動駆動手段にかかるエネルギーが少なく、効率的に振動することができ、また、表示手段に不要な振動を与えず、安定した画像を表示することができる。
【００４０】
以下、第２の実施の形態の表面検査装置について説明する。図７は、第２の実施の形態のディスプレイ装置２００の構成を示す概略図である。
【００４１】
図７に示すように、ディスプレイ装置２００は、設置台１０と、支持部２０と、表示手段としての液晶パネル４０と、振動駆動手段として電磁アクチュエータ８０と、画像信号処理部５０と、信号供給手段としての画像信号出力部６０と、表示制御手段としての制御部９０とから構成されている。
【００４２】
設置台１０と、支持部２０と、表示手段としての液晶パネル４０と、画像信号処理部５０と、信号供給手段としての画像信号出力部６０とは、上述したディスプレイ装置１００の構成と同じ構成を有する。その詳細説明を省略する。また、ディスプレイ装置２００を用いた画像表示方法は上記ディスプレイ装置１００を用いた方法と同様である。
【００４３】
なお、この場合、電磁アクチュエータ８０で液晶パネル４０を振動させるために、液晶パネル４０の周辺フレームの中には磁気性材料を設けられている。
【００４４】
電磁アクチュエータ８０は、電磁石Ｍ１、Ｍ２、Ｍ３、Ｍ４を備える。これらの電磁石Ｍ１、Ｍ２、Ｍ３、Ｍ４は、液晶パネル４０の周辺に配置され、液晶パネル４０との間に所定間隔Ｓを設けている。この電磁アクチュエータ８０は制御部９０により制御され、液晶パネル４０を、図７中の４つの矢印Ｘで示されるように、まず、元の位置（第１位置）から右方にＰ／２の距離を移動して第２位置とし、次に、下方にＰ／２の距離を移動して第３位置とし、次に、左方にＰ／２の距離を移動して第４位置とし、そして、上方にＰ／２の距離を移動し元の位置に戻す。このように循環振動させる。
【００４５】
なお、電磁アクチュエータ８０は、液晶パネル４０を円振動させるようにしてもよい。また、電磁アクチュエータ８０は、液晶パネル４０の背面に配置するようにしてもよい。
【００４６】
ディスプレイ装置２００を用いて画像を表示する際に、ディスプレイ装置１００を用いて画像を表示する方法と同様に、まず、図５に示すように、画像信号処理部５０で、元画像を、画像１、画像２、画像３、画像４に分解処理する。次に、振動モータ３０により液晶パネル４０を上述したように、右、下、左、上の順に移動（振動）させる。
【００４７】
次に、制御部９０により、液晶パネル４０の振動位置に応じて所定の画像信号を供給する。例えば、図４に示すように、液晶パネル４０の表示画素が第１位置にあるとき、画像１（第１の画像信号）を供給する。また、液晶パネル４０が第２位置にあるとき、画像２（第２の画像信号）を供給する。また、液晶パネル４０が第３位置にあるとき、画像３（第３の画像信号）を供給する。液晶パネル４０が第４位置にあるとき、画像４（第４の画像信号）を供給する（図６参照）。
【００４８】
このように本実施の形態において、ディスプレイ装置２００は、設置台１０と、支持部２０と、振動駆動手段としての電磁アクチュエータ８０と、表示手段としての液晶パネル４０と、画像信号処理手段５０と、信号供給手段としての画像信号出力回路６０と、表示制御手段としての制御部９０とから構成され、画像を表示する際に、液晶パネル４０を４つの位置で循環振動させると同時に、液晶パネル４０の表示画素が初始位置（第１位置）にあるとき、第１の画像信号を供給する。また、液晶パネル４０が第２位置にあるとき、第２の画像信号を供給する。また、液晶パネル４０が第３位置にあるとき、第３の画像信号を供給する。液晶パネル４０が第４位置にあるとき、第４の画像信号を供給するようになされる。
【００４９】
これにより、表示素子の構成を変更することなく、低コストで解像度を向上させ、画像表示の高精細化を図ることができる。
【００５０】
なお、上述の第１、２の実施の形態においては、液晶パネル４０を円振動させるものと直交する二方向に振動（四角振動）させるものを説明したが、これに限定されるものではない。例えば、液晶パネル４０を映像信号の走査タイミングに同期して、表示平面において上下振動（往復運動）、または左右振動（往復運動）のみをさせ、所定位置に位置するとき所定の画像信号を供給するようにしてもよい。
【００５１】
また、上述の第１、２の実施の形態においては、表示手段として液晶パネル４０を例として説明したが、これに限定されるものではない。プラズマディスプレイ（ＰＤＰ）、ＬＥＤパネルなどディスプレイ装置にもこの発明を適用できる。
【００５２】
また、上述の第１、２の実施の形態においては、振動駆動手段として振動モータ３０または電磁アクチュエータ８０を用いた例について説明したが、これに限定されるものではない。他の振動駆動手段を用いてもよい。例えば、圧電素子などを用いてもよい。
【００５３】
また、上述の第１、２の実施の形態においては、振動駆動手段として振動モータ３０または電磁アクチュエータ８０を液晶パネル４０の外側に設けたものについて説明したが、これに限定されるものではない。振動駆動手段を液晶パネル４０のケース内に設けるようにしてもよい。この場合、液晶パネル４０の液晶素子のみ振動することになる。
【産業上の利用可能性】
【００５４】
本発明に係るディスプレイ装置および画像表示方法は、大型のＬＥＤ広告表示装置から携帯電話のディスプレイまで利用できる。また液晶プロジェクター等表示装置にも適用可能である。
【図面の簡単な説明】
【００５５】
【図１】第１の実施の形態のディスプレイ装置１００の構成を示す概略図である。
【図２】ディスプレイ装置１００の正面を示す図である。
【図３】Ａ部の拡大図および円振動半径を示す図である。
【図４】画像処理方法を説明する図である。
【図５】画像の分解方法を説明する図である。
【図６】振動位置に応じて所定の画像信号を供給する例を示す図である。
【図７】第２の実施の形態のディスプレイ装置２００の構成を示す概略図である。
【符号の説明】
【００５６】
１０  設置台
２０  支持部
３０  振動モータ
３１  偏心軸
４０  液晶パネル
４１  取付部
５０  画像信号処理部
６０  画像信号出力部
７０，９０  制御部
８０  電磁アクチュエータ
１００，２００  ディスプレイ装置
【図１】
2008268677.tif 000003
【図２】
2008268677.tif 000004
【図３】
2008268677.tif 000005
【図４】
2008268677.tif 000006
【図５】
2008268677.tif 000007
【図６】
2008268677.tif 000008
【図７】
2008268677.tif 000009